(57)【要約】      （修正有）【課題】利用者の肛門が傷つくことを抑制し、挿入に伴う痛みを解消し、便通促進が容易にできる浣腸器を提供する。【解決手段】浣腸剤を収容する変形可能な収容器部１と、挿入部２とを備え、前記挿入部２の先端は多孔質体３で被覆されている浣腸器。ある実施形態では、収容器部１と挿入部２とは弾性変形可能である。別の実施形態では、収容器部１と挿入部２とは一体的に形成されている。さらに、別の実施形態では収容器部１と挿入部２とは係合している。【選択図】図１
2014083404.tif 000002
【特許請求の範囲】
【請求項１】
浣腸剤を収容する変形可能な収容器部と、挿入部とを備え、前記挿入部の先端は多孔質体で被覆されている浣腸器。
【請求項２】
前記収容器部と前記挿入部とは、弾性変形可能である請求項１に記載の浣腸器。
【請求項３】
前記収容器部と前記挿入部とは、一体的に形成されている請求項１又は請求項２に記載の浣腸器。
【請求項４】
前記収容器部と前記挿入部とは、係合している請求項１又は請求項２に記載の浣腸器。
【発明の詳細な説明】
【技術分野】
【０００１】  本発明は、浣腸器に関するものである。
【背景技術】
【０００２】  従来、浣腸器は、プラスチック材からなる浣腸剤を収容する収容器部と、浣腸剤を肛門に注入する１つの噴射孔を持った挿入部から形成されており、注入された浣腸剤が腸を刺激し排便を促していた（特許文献１参照）。【０００３】  また、乳幼児の便通促進として、オイル等の潤滑油を塗付した指や棒等を肛門に挿入し、回転や出入り等の操作を繰り返して刺激を与える方法が知られている（非特許文献１参照）。
【先行技術文献】
【特許文献】
【０００４】
【特許文献１】特開２００２−３５１１９号公報
【非特許文献】
【０００５】
【非特許文献１】ｈｔｔｐ：／／赤ちゃんの便秘．ｎｅｔ／
【発明の概要】
【発明が解決しようとする課題】
【０００６】  従来の浣腸器によれば、浣腸器の挿入部外側表面の滑りが悪い為、肛門から直腸にまで挿入する際に、摩擦により痛みを伴うことが多い。【０００７】  また、乳幼児の便通促進として、肛門に指や棒等を挿入し、回転や出入りなどの操作を繰り返して刺激を与える際に、乳幼児の直腸粘膜を傷付け、出血を伴う恐れがある。【０００８】  そこで、本発明は、利用者の肛門が傷つくことを抑制し、また精神的苦痛を抑制し、容易に利用者の便通を促進することができる浣腸器を提供することにある。
【課題を解決するための手段】
【０００９】  本課題を解決するために、本発明の浣腸器は、浣腸剤を収容する変形可能な収容器部と、挿入部とを備え、前記挿入部の先端は多孔質体で被覆されている。【００１０】  ある実施形態では、収容器部と挿入部とは弾性変形可能である。【００１１】  ある実施形態では、収容器部と挿入部とは一体的に形成されている。【００１２】  ある実施形態では、収容器部と挿入部とは係合している。
【発明の効果】
【００１３】  本発明に係る浣腸器によれば、収容器部に対する加圧操作に伴って、挿入部先端に被覆されている多孔質体からグリセリン等の浣腸剤が緩やかに注出される。したがって、多孔質体は浣腸剤に含浸され、利用者の肛門内へ挿入部先端を容易に注入することができる。【００１４】  その結果、利用者の肛門が傷つくことを抑制し、利用者の肛門への浣腸器の挿入に伴う利用者の痛みを抑制し、利用者の精神的苦痛を抑制し、容易に利用者の便通を促進することができる。また、乳幼児等の便通促進に際し、オイル等の潤滑油を塗付した刺激作用の手間を省くことができる。
【図面の簡単な説明】
【００１５】
【図１】本発明の実施形態に係る浣腸器１０の全体構成を示す図である。
【図２】収容器部１と挿入部２とが係合している状態を示す図である。
【図３】収容器部１と挿入部２とが多孔質体３の下端部で係合している状態を示す図である。
【図４】多孔質体３が挿入部２の先端部を被覆している状態を示す図である。
【図５】挿入部２の外側周面を薄膜の多孔質体３で被覆している状態を示す図である。
【発明を実施するための形態】
【００１６】  以下、図面を参照して本発明の実施形態を説明する。但し、本発明は以下の実施形態に限定されない。
図１は、本発明の実施形態に係る浣腸器１０の全体構成を示す。浣腸器１０は、浣腸剤を収容する変形可能な収容器部１と挿入部２とを備える。挿入部２の先端は多孔質体で被覆されている。
【００１７】  容器本体（収容器部１及び挿入部２）は、柔軟かつ弾性変形可能な熱可塑性合成樹脂（例えば、スチレン系エラストマー、ポリエチレン系誘導体、ポリプロピレン系誘導体、塩化ビニル）により形成されている。容器本体を構成する材料は、収容器部１に対する加圧操作により収容器部１を適度に弾性変形させることができるものであることが好ましい。
【００１８】  収容器部１は、横断面楕円形の中空体であり、収容器部１の内部に浣腸剤を収容することができる。
【００１９】  挿入部２は、収容器部１に連続し、先端に向けて僅かに縮径する円筒状に形成されている。また、挿入部２は、挿入部２の長手方向において、必要十分な長さＬを有する。例えば、Ｌの長さは５０ｍｍ〜６０ｍｍである。
なお、挿入部２の横断面を楕円形に形成することにより、挿入部２の短軸方向に曲げるための力を小さくする事も可能である。挿入部２の短軸方向に力を加え、挿入部２を折り曲げた状態で収容器部１を密封することで、浣腸剤の変質や収容器部１からの浣腸剤の漏出を防ぎ、衛生的に長期保存が可能になる。
【００２０】  挿入部２の先端には、各々外方に向かうに従って徐々に肥大化するように形成された多孔質体３が巻着されている。多孔質体３は、柔軟かつ弾性変形可能な樹脂発泡体や、ポリエステル、アクリル、ナイロン、ポリオレフィン等の合成繊維及び綿等の天然繊維の不織布等により形成されている。多孔質体３を構成する材料は、浣腸剤を多孔質体３に均一に含浸させることができるものであることが好ましい。
【００２１】  また、挿入部２の先端は、少なくとも１つの噴射孔を有している。挿入部２の先端の少なくとも１つの噴射孔からは、収容器部１及び挿入部２から供給された浣腸剤を多孔質体３に満遍なく噴出し、多孔質体３を浣腸剤で含浸することができる。
本発明に係る浣腸器によれば、収容器部に対する加圧操作に伴って、挿入部先端に被覆されている多孔質体からグリセリン等の浣腸剤が緩やかに注出される。したがって、多孔質体は浣腸剤に含浸され、利用者の肛門内へ挿入部先端を容易に注入することができる。
その結果、利用者の肛門が傷つくことを抑制し、利用者の肛門への浣腸器の挿入に伴う利用者の痛みを抑制し、利用者の精神的苦痛を抑制し、容易に利用者の便通を促進することができる。また、乳幼児等の便通促進に際し、オイル等の潤滑油を塗付した刺激作用の手間を省くことができる。
【００２２】  図２は、収容器部１と挿入部２とが係合している状態を示す。以下、図２を参照して、本発明の他の実施形態による浣腸器１０を説明する。本実施形態による浣腸器１０によれば、挿入部２と収容器部１とは、浣腸剤の変質や漏出を防ぎ、衛生的に浣腸剤を長期保存が可能であれば非連続でもよい。例えば、収容器部１と挿入部２とは別々の部品であり、収容器部１と挿入部２とはネジ構造で係合している。なお、多孔質体３は、挿入部２の全部を覆ってもよいが、挿入部２の上半部のみを覆ってもよい。例えば、多孔質体３は挿入部２の先端から３０ｍｍ〜４０ｍｍに至るまでを覆う。
【００２３】  図３は、収容器部１と挿入部２とが多孔質体３の下端部で係合している状態を示す。以下、図３を参照して、本発明の更に他の実施形態による浣腸器１０を説明する。本実施形態による浣腸器１０によれば、収容器部１と挿入部２とが、多孔質体３の下端部で係合している。そのため、利用者が便通促進における回転や出入りなどの操作を繰り返す際に、多孔質体３が利用者の肛門内で抜け落ちることを防止できる。
【００２４】  図４は、多孔質体３が挿入部２の先端部を被覆している状態を示す。以下、図４を参照して、本発明の更に他の実施形態による浣腸器１０を説明する。本実施形態による浣腸器１０によれば、多孔質体３が浣腸剤に短時間で含浸され、利用者の直腸内壁を局所的に刺激できるように、多孔質体３は挿入部２の先端部を被覆している。例えば、多孔質体３は直径５ｍｍ〜１０ｍｍの球形である。挿入部２の先端部が多孔質体３の中心に位置するように、多孔質体３は挿入部２の先端部を覆っている。
【００２５】  図５は、挿入部２の外側周面を薄膜の多孔質体３で被覆している状態を示す。以下、図５を参照して、本発明の更に他の実施形態による浣腸器１０を説明する。本実施形態による浣腸器１０によれば、多孔質体３が浣腸剤に短時間で含浸され、利用者の直腸内壁を傷付けることなく、挿入部２を利用者の肛門内奥深くにまで容易に挿入することができるように、挿入部２の外側周面が薄膜の多孔質体３で被覆されている。例えば、挿入部２の外側周面は０．５ｍｍ〜１ｍｍの薄膜の多孔質体３で被覆されている。
【符号の説明】
【００２６】１    収容器部
２    挿入部
３    多孔質体
１０  浣腸器
【図１】
2014083404.tif 000003
【図２】
2014083404.tif 000004
【図３】
2014083404.tif 000005
【図４】
2014083404.tif 000006
【図５】
2014083404.tif 000007